(57)【要約】      （修正有）【課題】容易に枢動回転させて所望の角度のコーナー部を構成することができるＬ型擁壁ブロック、Ｌ型擁壁ブロック組及びコーナー部構築方法を提供する。【解決手段】壁面部１１と床版部１２とで構成されたコンクリート製のＬ型擁壁におけるコーナー部Ｌ型擁壁を一対のＬ型擁壁ブロック１０（１０Ｌ，１０Ｒ）で構成するＬ型擁壁ブロックユニットを、Ｌ型擁壁ブロック１０（１０Ｌ，１０Ｒ）の壁面部１１における側面のうち、コーナー部Ｌ型擁壁の枢動中心軸側の側面に、他方のＬ型擁壁ブロック１０（１０Ｌ，１０Ｒ）と平面視方向において枢動回転可能に、高さ方向Ｈに連結する枢動連結部２０を備え、床版部１２における枢動中心軸側に現場打ちコンクリートによって現場打ち床版部を構築する打設空間１２２を形成した。【選択図】図１
2019120044.tif 000002
【特許請求の範囲】
【請求項１】
壁面部と床版部とで構成されたコンクリート製のＬ型擁壁のコーナー部を一対のＬ型擁壁ブロックで構成するＬ型擁壁ブロック組であって、
前記Ｌ型擁壁ブロックの前記壁面部における側面のうち、前記コーナー部の隅角部側の前記側面に、他方の前記Ｌ型擁壁ブロックと平面視方向において枢動回転可能に、高さ方向に連結する枢動連結部が備えられ、
前記床版部における前記隅角部側に現場打ちコンクリートによって前記床版部とともに、複合床版を構成する現場打ち床版部を構築する打設空間が形成された
Ｌ型擁壁ブロック組。
【請求項２】
前記壁面部と前記床版部とで構成する内角部を補強する内角補強部が形成されるとともに、
前記内角部に対応する向きの内角補強鉄筋が配筋された
請求項１に記載のＬ型擁壁ブロック組。
【請求項３】
前記壁面部の下部から、前記打設空間に突出する鉄筋が設けられた
請求項１または２に記載のＬ型擁壁ブロック組。
【請求項４】
前記打設空間が、前記壁面部の幅に対して１／３以上２／３以下の幅で設けられた
請求項１乃至３のうちいずれかに記載のＬ型擁壁ブロック組。
【請求項５】
前記枢動連結部は、
前記壁面部より高さが低く、少なくとも前記隅角部側が平面視円弧状となる略円柱状の枢動柱部と、
他方の前記Ｌ型擁壁ブロックにおける前記枢動柱部との対向面に装着され、前記枢動柱部同士を枢動回転自在に連結する枢動連結軸とで構成された
請求項１乃至４のうちいずれかに記載のＬ型擁壁ブロック組。
【請求項６】
前記枢動連結軸が、前記コンクリートより低強度である低強度材で構成された
請求項５に記載のＬ型擁壁ブロック組。
【請求項７】
前記枢動柱部との対向面に形成され、前記枢動連結軸が装着される軸装着部の少なくとも一方は、前記枢動連結軸が平面視方向における所定方向に移動可能な形状である
請求項５又は６に記載のＬ型擁壁ブロック組。
【請求項８】
前記壁面部が、高さ方向下側の壁面本体部と、
該壁面本体部の上部に配置され、前記壁面本体部より厚みが薄い上部壁面部とで構成され、
前記壁面本体部、及び前記上部壁面部の外面が面一である
請求項１乃至７のうちいずれかに記載のＬ型擁壁ブロック組。
【請求項９】
前記壁面本体部における前記隅角部側の前記側面における内側に、角度調整するための控え空間が設けられた
請求項８に記載のＬ型擁壁ブロック組。
【請求項１０】
前記壁面部の外面が、内側に傾斜する傾斜外面で構成された
請求項１乃至９のうちいずれかに記載のＬ型擁壁ブロック組。
【請求項１１】
前記床版部の内側の側面が多段状である
請求項１乃至１０のうちいずれかに記載のＬ型擁壁ブロック組。
【請求項１２】
所定の角度で配置された、請求項１乃至１１のうちいずれかに記載のＬ型擁壁ブロック組と、該Ｌ型擁壁ブロック組における前記打設空間に打設されたコンクリートによって構築された現場打ち床版部とで構成されるとともに、
前記現場打ち床版部と前記床版部とで複合床版が構成された
コーナー部Ｌ型擁壁。
【請求項１３】
前記壁面部と前記現場打ち床版部とで構成するＬ型断面における断面強度に対して、前記壁面部と前記床版部とで構成するＬ型断面における断面強度が高強度である
請求項１２に記載のコーナー部Ｌ型擁壁。
【請求項１４】
壁面部と床版部とで構成されたコンクリート製のＬ型擁壁のコーナー部を構築するコーナー部構築方法であって、
前記コーナー部の隅角部の両側に配置されるＬ型擁壁ブロックは、
前記Ｌ型擁壁ブロックの前記壁面部における側面のうち、前記コーナー部の隅角部側の前記側面に、他方の前記Ｌ型擁壁ブロックと平面視方向において枢動回転可能に、高さ方向に連結する枢動連結部が備えられるとともに、
前記床版部における前記隅角部側に現場打ちコンクリートによって現場打ち床版部を構築する打設空間が形成され、
前記コーナー部の隅角部の両側に配置した前記Ｌ型擁壁ブロック同士を、前記枢動連結部で所定の相対角度に調整して連結し、
前記打設空間にコンクリートを打設して前記現場打ち床版部を構築するとともに、前記床版部とともに複合床版を構成する
コーナー部構築方法。
【請求項１５】
壁面部と床版部とで構成されたコンクリート製のＬ型擁壁のコーナー部を構成するＬ型擁壁ブロックであって、
前記Ｌ型擁壁ブロックの前記壁面部における側面のうち、前記コーナー部の隅角部側の前記側面に、他方の前記Ｌ型擁壁ブロックと平面視方向において枢動回転可能に、高さ方向に連結する枢動連結部が備えられ、
前記床版部における前記隅角部側に現場打ちコンクリートによって、前記床版部とともに複合床版を構成する現場打ち床版部を構築する打設空間が形成された
Ｌ型擁壁ブロック。
【発明の詳細な説明】
【技術分野】
【０００１】
例えば、壁面部と床版部とで構成するコンクリート製のＬ型擁壁におけるコーナー部を構成するＬ型擁壁ブロック、Ｌ型擁壁ブロック組及びコーナー部構築方法に関する。
【背景技術】
【０００２】
従来から、例えば、造成箇所などにおいて、コンクリート製品のＬ型擁壁ブロックを連結してＬ型擁壁を連続的に構築することがあるが、コーナー部が設けられる場合、設置個所に応じた形状のコーナー用のＬ型擁壁ブロックを製作し、設置することがあった。しかしながら、コーナー部の角度は様々であり、設置個所ごとにＬ型擁壁ブロックを製作する必要があった。
【０００３】
そこで、特許文献１では、ふたつのＬ型擁壁ブロックを連結部材で角度調整可能に構成されたＬ型擁壁ブロックが提案されている。特許文献１で提案のＬ型擁壁ブロックは、複数の連結部材が隅角部に埋設されており、連結部材を塑性変形して所定の角度に調整することができるとされている。しかしながら、高さ方向に複数並んだ連結部材を、塑性変形するように精度よく曲げ変形することは困難であり、所望の曲げ角度に設置することは困難であった。
【先行技術文献】
【特許文献】
【０００４】
【特許文献１】特開２０１０−１６３８６８号公報
【発明の概要】
【発明が解決しようとする課題】
【０００５】
そこで、この発明は、容易に枢動回転させて所望の角度のコーナー部を構成することができるＬ型擁壁ブロック、Ｌ型擁壁ブロック組及びコーナー部構築方法を提供することを目的とする。
【課題を解決するための手段】
【０００６】
この発明は、壁面部と床版部とで構成されたコンクリート製のＬ型擁壁のコーナー部を一対のＬ型擁壁ブロックで構成するＬ型擁壁ブロック組であって、前記Ｌ型擁壁ブロックの前記壁面部における側面のうち、前記コーナー部の隅角部側の前記側面に、他方の前記Ｌ型擁壁ブロックと平面視方向において枢動回転可能に、高さ方向に連結する枢動連結部が備えられ、前記床版部における前記隅角部側に現場打ちコンクリートによって前記床版部とともに、複合床版を構成する現場打ち床版部を構築する打設空間が形成されたことを特徴とする。
【０００７】
またこの発明は、壁面部と床版部とで構成されたコンクリート製のＬ型擁壁のコーナー部を構築するコーナー部構築方法であって、前記コーナー部の隅角部の両側に配置されるＬ型擁壁ブロックは、前記Ｌ型擁壁ブロックの前記壁面部における側面のうち、前記コーナー部の隅角部側の前記側面に、他方の前記Ｌ型擁壁ブロックと平面視方向において枢動回転可能に、高さ方向に連結する枢動連結部が備えられるとともに、前記床版部における前記隅角部側に現場打ちコンクリートによって前記床版部とともに、複合床版を構成する現場打ち床版部を構築する打設空間が形成され、前記コーナー部の隅角部の両側に配置した前記Ｌ型擁壁ブロック同士を、前記枢動連結部で所定の相対角度に調整して連結し、前記打設空間にコンクリートを打設して前記床版部とともに、複合床版を構成する現場打ち床版部を構築することを特徴とする。
【０００８】
またこの発明は、壁面部と床版部とで構成されたコンクリート製のＬ型擁壁のコーナー部を構成するＬ型擁壁ブロックであって、前記Ｌ型擁壁ブロックの前記壁面部における側面のうち、前記コーナー部の隅角部側の前記側面に、他方の前記Ｌ型擁壁ブロックと平面視方向において枢動回転可能に、高さ方向に連結する枢動連結部が備えられ、前記床版部における前記隅角部側に現場打ちコンクリートによって前記床版部とともに、複合床版を構成する現場打ち床版部を構築する打設空間が形成されたことを特徴とする。
【０００９】
この発明により、容易に枢動回転させて所望の角度のコーナー部を構成することができる。  
詳しくは、前記Ｌ型擁壁ブロックの前記壁面部における側面のうち、前記コーナー部の隅角部側の前記側面に、他方の前記Ｌ型擁壁ブロックと平面視方向において枢動回転可能に、高さ方向に連結する枢動連結部が備えられているため、前記コーナー部の隅角部の両側に配置した前記Ｌ型擁壁ブロック同士を、前記枢動連結部で所定の相対角度に調整して連結することができる。
【００１０】
また、所定の相対角度に調整した前記Ｌ型擁壁ブロックにおける前記打設空間にコンクリートを打設して前記床版部とともに、複合床版を構成する現場打ち床版部を構築するため、さまざまな角度のコーナー部であっても、設置個所ごとにＬ型擁壁ブロックを製作することなく、前記Ｌ型擁壁ブロック同士を枢動回転させて容易に所望の角度のコーナー部を構成することができる。
【００１１】
また、設置個所ごとに制作したＬ型擁壁ブロックを設置する場合であっても、例えば、現場の施工環境や構築済みＬ型擁壁によっては角度が合わないおそれもあるが、前記コーナー部の隅角部の両側に配置した前記Ｌ型擁壁ブロック同士を、前記枢動連結部で所定の相対角度に調整できるため、現場に適した角度のコーナー部を構成することができる。  
なお、上述のコンクリート製は、プレキャストコンクリート（ＰＣａ）製や鉄筋コンクリート製などを含むものとする。
【００１２】
この発明の態様として、前記壁面部と前記床版部とで構成する内角部を補強する内角補強部が形成されるとともに、前記内角部に対応する向きの内角補強鉄筋が配筋されてもよい。  
上記内角補強部は、いわゆるハンチと呼ばれ、内角部に設けられた傾斜面を有する補強部や、湾曲面を有する補強部としてもよい。
【００１３】
上述の前記内角部に対応する向きは、例えば、前記壁面部と前記床版部とで構成するＬ型断面における内角部において、前記壁面部と前記床版部とで成す角の半分の角度に対して直交する向きとしてもよい。
【００１４】
この発明により、前記壁面部と前記床版部とで構成し、断面強度が高いＬ型断面を構成することができる。  
詳述すると、前記壁面部と前記床版部とで構成する内角部を補強する内角補強部が形成されるとともに、前記内角部に対応する向きの内角補強鉄筋が配筋されているため、前記内角補強部が設けられていなかったり、前記内角補強鉄筋が配筋されなかった場合に比べて、断面強度が高いＬ型断面、つまり見かけの剛性が高いＬ型断面を構成することができる。
【００１５】
またこの発明の態様として、前記壁面部の下部から、前記打設空間に突出する鉄筋が設けられてもよい。  
この発明により、強度のある鉄筋コンクリート製の現場打ち床版部を構築することができる。
【００１６】
またこの発明の態様として、前記打設空間が、前記壁面部の幅に対して１／３以上２／３以下の幅で設けられてもよい。  
この発明により、充分に強度のある鉄筋コンクリート製の前記現場打ち床版部を構築することができる。
【００１７】
詳述すると、前記打設空間が前記壁面部の幅に対して１／３以下である場合、前記打設空間に構築される前記現場打ち床版部の幅が狭くなり、充分な強度を有する前記現場打ち床版部を構築することができなくなる。これに対し、前記打設空間が前記壁面部の幅に対して２／３以上である場合、前記壁面部と一体構成された床版部の幅が狭くなり、前記壁面部と一体構成された床版部の強度が低下するおそれがある。これに対し、前記打設空間が、前記壁面部の幅に対して１／３以上２／３以下の幅で設けられることで、充分な強度を有する前記現場打ち床版部を構築することができるとともに、前記壁面部と一体構成された床版部の強度低下を防止することができる。つまり、前記打設空間が、前記壁面部の幅に対して１／３以上２／３以下の幅で設けられることで、前記打設空間に構築される前記現場打ち床版部と、前記壁面部と一体構成された床版部との強度が両立したＬ型擁壁を構成することができる。
【００１８】
またこの発明の態様として、前記枢動連結部は、前記壁面部より高さが低く、少なくとも前記隅角部側が平面視円弧状となる略円柱状の枢動柱部と、他方の前記Ｌ型擁壁ブロックにおける前記枢動柱部との対向面に装着され、前記枢動柱部同士を枢動回転自在に連結する枢動連結軸とで構成されてもよい。
【００１９】
この発明により、よりスムーズな枢動回転によって相対角度を調整することができる。  
詳しくは、平面視円弧状となる略円柱状の枢動柱部が上下方向に対向する対向面に枢動連結軸が装着されているため、枢動連結軸を枢動中心としてスムーズに枢動回転することができる。したがって、前記Ｌ型擁壁ブロック同士を所望の相対角度に調整することができる。
【００２０】
またこの発明の態様として、前記枢動連結軸が、前記コンクリートより低強度である低強度材で構成されてもよい。  
上記低強度材は、樹脂製材料、モルタル材料、あるいは金属材料等を含む。なお、上記低強度材は素材そのものの強度が低いのみならず、素材そのものの強度は低くないが、形状や構造によって強度が低くなるもののも含まれる。
【００２１】
この発明により、前記Ｌ型擁壁ブロック同士の枢動回転時における回転軸が不用意にずれた場合であっても、前記コンクリートより低強度である低強度材で構成された前記枢動連結軸が変形することで、前記コンクリートに負荷が作用することを防止できる。そのため、上述のような不具合が生じても前記Ｌ型擁壁ブロックが損傷することを防止できる。
【００２２】
またこの発明の態様として、前記枢動柱部との対向面に形成され、前記枢動連結軸が装着される軸装着部の少なくとも一方は、前記枢動連結軸が平面視方向における所定方向に移動可能な形状であってもよい。
【００２３】
この発明により、前記Ｌ型擁壁ブロック同士の枢動回転時における回転軸が不用意にずれた場合であっても、前記枢動連結軸が平面視方向における所定方向に移動することで、前記コンクリートに負荷が作用することを防止できる。そのため、上述のような不具合が生じても前記Ｌ型擁壁ブロックが損傷することを防止できる。
【００２４】
またこの発明の態様として、前記壁面部が、高さ方向下側の壁面本体部と、該壁面本体部の上部に配置され、前記壁面本体部より厚みが薄い上部壁面部とで構成され、前記壁面本体部、及び前記上部壁面部の外面が面一であってもよい。
【００２５】
この発明により、設置・埋戻し後の供用状態において露出する外面が面一となるため、景観性に優れたコーナー部を構成することができる。  
さらに、前記壁面本体部及び前記上部壁面部の外面が面一となるため、前記Ｌ型擁壁ブロック同士がいずれの相対角度であっても、コーナー部の頂部が変化することがなく、景観性に優れたコーナー部を構成することができる。  
また、該壁面本体部の上部に配置された上部壁面部は、前記壁面本体部より厚みが薄いため、容易に上部壁面部を所定高さに加工し、所望の擁壁高さに構成することができる。
【００２６】
またこの発明の態様として、前記壁面本体部における前記隅角部側の前記側面における内側に、角度調整するための控え空間が設けられてもよい。  
この発明により、前記壁面本体部及び前記上部壁面部の外面が面一である、つまり枢動中心から前記壁面本体部の内面までの間隔が広がるが、前記壁面本体部における前記隅角部側の前記側面における内側に、角度調整するための控え空間が設けられているため、前記壁面本体部における前記隅角部側の前記側面における内側が支障することなく、前記Ｌ型擁壁ブロック同士を枢動回転させて容易に所望の角度のコーナー部を構成することができる。
【００２７】
またこの発明の態様として、前記壁面部の外面が、内側に傾斜する傾斜外面で構成されてもよい。  
この発明により、埋戻し圧によってＬ型擁壁ブロックが外側に変形したり、傾倒した場合であっても、内側に傾斜する傾斜外面が外側に傾斜することがなく、安定性の高い擁壁を構成することができる。
【００２８】
またこの発明は、所定の角度で配置された上述のＬ型擁壁ブロック組と、該Ｌ型擁壁ブロック組における前記打設空間に打設されたコンクリートによって構築された現場打ち床版部とで構成されるとともに、前記現場打ち床版部と前記床版部とで複合床版が構成されたコーナー部Ｌ型擁壁であることを特徴とする。  
この発明により、コーナー部の所定角度に応じた角度に調整されたＬ型擁壁を構築することができる。
【００２９】
またこの発明の態様として、前記壁面部と前記現場打ち床版部とで構成するＬ型断面における断面強度に対して、前記壁面部と前記床版部とで構成するＬ型断面における断面強度が高強度であってもよい。  
この発明により、堅牢なコーナー部Ｌ型擁壁を構築することができる。
【００３０】
詳述すると、前記壁面部と前記現場打ち床版部とで構成するＬ型断面における断面強度に対して、前記壁面部と前記床版部とで構成するＬ型断面における断面強度が高強度であるため、コーナー部Ｌ型擁壁に硫黄力が作用した際に弱点になり易い打ち継ぎ目が存在する前記壁面部と前記現場打ち床版部とで構成するＬ型断面よりも、断面強度が高強度である前記壁面部と前記床版部とで構成するＬ型断面に、負荷が荷重分配されて作用するため、堅牢なコーナー部Ｌ型擁壁を構築することができる。
【発明の効果】
【００３１】
この発明によれば、容易に枢動回転させて所望の角度のコーナー部を構成することができるＬ型擁壁ブロック、Ｌ型擁壁ブロック組及びコーナー部構築方法を提供することができる。
【図面の簡単な説明】
【００３２】
【図１】連結前のＬ型擁壁ブロックユニットの内側上方からの斜視図。
【図２】連結状態のＬ型擁壁ブロックユニットの外側上方からの斜視図。
【図３】Ｌ型擁壁ブロックユニットの平面図による説明図。
【図４】Ｌ型擁壁ブロックの側面図による説明図。
【図５】枢動連結軸の斜視図。
【図６】Ｌ型擁壁のコーナー部の内側上方からの斜視図。
【図７】Ｌ型擁壁のコーナー部の斜視図による構築方法の説明図。
【図８】Ｌ型擁壁のコーナー部の斜視図による構築方法の説明図。
【図９】Ｌ型擁壁のコーナー部の斜視図による構築方法の説明図。
【発明を実施するための形態】
【００３３】
この発明の一実施形態を以下図面とともに説明する。  
まず、Ｌ型擁壁Ｒにおけるコーナー部Ｌ型擁壁Ｒｃを構築するためのＬ型擁壁ブロックユニット１及びＬ型擁壁ブロックユニット１を構成するＬ型擁壁ブロック１０について、図１乃至図９とともに説明する。
【００３４】
なお、図１は連結前のＬ型擁壁ブロックユニット１の内側上方からの斜視図を示し、図２は連結状態のＬ型擁壁ブロックユニット１の外側上方からの斜視図を示し、図３はＬ型擁壁ブロックユニット１の平面図による説明図を示し、図４はＬ型擁壁ブロック１０の側面図による説明図を示し、図５は枢動連結軸２３の斜視図を示し、図６はＬ型擁壁Ｒにおけるコーナー部Ｌ型擁壁Ｒｃの内側上方からの斜視図を示し、図７乃至図９はＬ型擁壁Ｒにおけるコーナー部Ｌ型擁壁Ｒｃの斜視図による構築方法の説明図を示している。
【００３５】
詳述すると、図３（ａ）は左側Ｌ型擁壁ブロック１０Ｌの平面図を示し、図３（ｂ）は右側Ｌ型擁壁ブロック１０Rの平面図を示し、図３（ｃ）は左側Ｌ型擁壁ブロック１０Ｌと右側Ｌ型擁壁ブロック１０Rとを直角に連結したＬ型擁壁ブロックユニット１の平面図を示し、図３（ｄ）は左側Ｌ型擁壁ブロック１０Ｌと右側Ｌ型擁壁ブロック１０Rとを鈍角に連結したＬ型擁壁ブロックユニット１の平面図を示している。  
図４（ａ）は左側Ｌ型擁壁ブロック１０Ｌの右側面図を示し、図４（ｂ）は右側Ｌ型擁壁ブロック１０Rの左側面図を示している。
【００３６】
図７（ａ）は一般Ｌ型擁壁ブロック３０を据え付ける一般Ｌ型擁壁ブロック据付工程の概略斜視図を示し、図７（ｂ）は据え付けた一般Ｌ型擁壁ブロック３０に対して左側Ｌ型擁壁ブロック１０Ｌを据え付けるコーナー部ブロック据付工程の概略斜視図を示し、図８（ａ）は一般Ｌ型擁壁ブロック３０に対して左側Ｌ型擁壁ブロック１０Ｌが据え付けられた状態の概略斜視図を示し、図８（ｂ）は据え付けた左側Ｌ型擁壁ブロック１０Ｌに対して右側Ｌ型擁壁ブロック１０Rを連結して据え付けるコーナー部ブロック連結工程の概略斜視図を示し、図９（ａ）は左側Ｌ型擁壁ブロック１０Ｌに対して右側Ｌ型擁壁ブロック１０Rが連結して据え付けられた状態の概略斜視図を示し、図９（ｂ）は据え付けた右側Ｌ型擁壁ブロック１０Rに対して一般Ｌ型擁壁ブロック３０を据え付ける一般Ｌ型擁壁ブロック据付工程の概略斜視図を示している。
【００３７】
コンクリート製のＬ型擁壁Ｒにおけるコーナー部をなすコーナー部Ｌ型擁壁Ｒｃを構成するＬ型擁壁ブロック１０は、左右一対構成され、枢動中心軸ＣＬの両側に配置され、枢動中心軸ＣＬを中心として枢動回転可能に、組み付けてＬ型擁壁ブロックユニット１を構成することができる。
【００３８】
なお、枢動中心軸ＣＬの両側に配置されたＬ型擁壁ブロック１０は、左右略対称形状であり、Ｌ型擁壁ブロックユニット１の擁壁内側ＩＮ（コーナー部Ｌ型擁壁Ｒｃの内角側）から視て枢動中心軸ＣＬの左側を左側Ｌ型擁壁ブロック１０Ｌとし、枢動中心軸ＣＬの右側を右側Ｌ型擁壁ブロック１０Rとしている。
【００３９】
そして、上述したように、左側Ｌ型擁壁ブロック１０Ｌと右側Ｌ型擁壁ブロック１０Rとは左右略対称形状であるため、以下において、左側Ｌ型擁壁ブロック１０Ｌについて説明する。また、Ｌ型擁壁ブロック１０について、供用時に埋戻しする擁壁内側ＩＮから視た方向を正面とし、擁壁外側ＯＵＴから視る方向を背面としている。
【００４０】
左側Ｌ型擁壁ブロック１０Ｌは、壁面部１１と床版部１２とで構成された断面Ｌ型であり、幅方向Ｗより高さ方向Ｈが高い正面視方形状のプレキャストコンクリート（ＰＣａ）製であり、枢動中心軸ＣＬ側に下側枢動円柱部２１を備えている。
【００４１】
また、壁面部１１と床版部１２との内角部には傾斜湾曲面を有する内角補強部１６が設けられ、壁面部１１と床版部１２とで構成された断面Ｌ型の左側Ｌ型擁壁ブロック１０Ｌの内部における角部には、図１において破線で示すように、内角補強部１６に対応する向きの内角部補強鉄筋１７が配筋されている。
【００４２】
なお、本実施例においてＬ型擁壁ブロック１０は、枢動中心軸ＣＬから離れた側を幅方向Ｗ外側とする。つまり、左側Ｌ型擁壁ブロック１０Ｌにおいて正面視左側を幅方向Ｗ外側とし、右側Ｌ型擁壁ブロック１０Rにおいて正面視右側を幅方向Ｗ外側とする。
【００４３】
また、Ｌ型擁壁ブロック１０において、枢動中心軸ＣＬから離れた側を幅方向Ｗ外側とする。つまり、左側Ｌ型擁壁ブロック１０Ｌにおいて正面視左側を幅方向Ｗ外側とし、右側Ｌ型擁壁ブロック１０Rにおいて正面視右側を幅方向Ｗ外側とする。なお、
【００４４】
壁面部１１は、高さ方向Ｈにおける下側２／３程度を壁面本体部１１１と、壁面本体部１１１の上部に配置された上部壁面部１１２とで一体構成している。上部壁面部１１２は、切断することで左側Ｌ型擁壁ブロック１０Ｌの高さを所望の高さに調整できるように、壁面本体部１１１より厚みが薄く構成されている。なお、本実施形態では、上部壁面部１１２は壁面本体部１１１の１／３程度の厚さで構成されている。
【００４５】
また、壁面本体部１１１と、厚みは薄い上部壁面部１１２とは、壁面部１１の外面１１ａが面一となるように構成されている。  
外面１１ａは、図４に示すように、Ｌ型擁壁ブロック１０におけるＬ型擁壁ブロックユニット１の擁壁外側ＯＵＴ、つまりコーナー部Ｌ型擁壁Ｒｃの外角側の面であり、外面１１ａは、上方に向かって擁壁内側ＩＮに傾斜する傾斜外面で形成している。なお、本実施形態では、外面１１ａは、上方が擁壁内側ＩＮに向かって１／２００の勾配で傾斜している。
【００４６】
また、壁面本体部１１１の左側上部には、後述する一般Ｌ型擁壁ブロック３０と連結金具４０で連結する連結凹部１１３が設けられ、壁面本体部１１１の右側には、右側Ｌ型擁壁ブロック１０Rと枢動角度を調整するための控え空間１１４が設けられている。なお、連結凹部１１３は、高さ調整のために上部壁面部１１２を低く切断した壁面部１１と一般Ｌ型擁壁ブロック３０とを連結金具４０で連結する際に用いられる。
【００４７】
床版部１２は、壁面部１１の正面視左側、つまり幅方向Ｗにおいて枢動中心軸ＣＬから離れた側において壁面部１１の幅に対して１／３以上２／３以下の幅である半分程度の幅で設けられている。また、床版部１２は、壁面本体部１１１の厚みの倍程度の厚みで構成されている。
【００４８】
また、床版部１２の擁壁内側ＩＮの内側側面１２１は多段状に構成されている。詳しくは、床版部１２の内側側面１２１は、厚み方向の下部内側側面１２１ａが上部内側側面１２１ｂより前方（擁壁内側ＩＮ）に突出する階段状に構成している。
【００４９】
また、内側側面１２１の下部内側側面１２１ａと上部内側側面１２１ｂのそれぞれから、擁壁内側ＩＮに向かって突出するように、そして、幅方向Ｗに所定間隔を隔てて突出鉄筋１４が植設されている。
【００５０】
壁面部１１の正面視右側、つまり幅方向Ｗにおいて枢動中心軸ＣＬに近い側において壁面部１１の半分程度の幅の現場打ちコンクリートによって床版部１２の一部である現場打ち床版部１２Ｘを構築する打設空間１２２が形成されている。  
なお、打設空間１２２が形成される壁面部１１の内面１１ｂから、擁壁内側ＩＮに向かって突出するように、そして、幅方向Ｗに所定間隔を隔てて突出鉄筋１４が植設されている。
【００５１】
下側枢動円柱部２１は、壁面部１１の枢動中心軸ＣＬ側（右側）の側面の下部に設けられた柱体であり、壁面部１１を構成する壁面本体部１１１の高さの半分程度の高さで形成されている。なお、下側枢動円柱部２１は、左側Ｌ型擁壁ブロック１０Ｌにのみ設けられており、右側Ｌ型擁壁ブロック１０Rに設けられた上側枢動円柱部２２と、後述する枢動連結軸２３とで枢動連結部２０を構成することとなる。
【００５２】
詳述すると、下側枢動円柱部２１は、壁面部１１の枢動中心軸ＣＬ側の側面の下部に対して、平面視幅方向Ｗ外側が略円弧状となる円弧側面を有する、幅方向Ｗ外側に突な平面視釣鐘状に形成されており、枢動中心軸ＣＬに通る箇所の上面２１ａに、後述する枢動連結軸２３を装着する下側装着凹部２１１を備えている。なお、下側装着凹部２１１は、後述する枢動連結軸２３の下部形状に応じた下向きに突な円錐台形状の空間である。
【００５３】
なお、図４（ａ）に示すように、擁壁内側ＩＮに向かって傾斜する傾斜外面で構成された外面１１ａに対し、下側枢動円柱部２１は、高さ方向Ｈに断面が変化しない垂直な柱状体であり、下方では奥行方向厚さが壁面本体部１１１より薄く、上面２１ａ付近で壁面本体部１１１と同じ厚みとなる。
【００５４】
このように構成した左側Ｌ型擁壁ブロック１０Ｌに対して右側Ｌ型擁壁ブロック１０Rは、上述したように、下側枢動円柱部２１を除いて左右略対称形状であり、その構成の詳細な説明は省略する。  
右側Ｌ型擁壁ブロック１０Rにおいて、左右略対称でない、つまり下側枢動円柱部２１とは異なる上側枢動円柱部２２について説明する。
【００５５】
上側枢動円柱部２２は、壁面部１１の枢動中心軸ＣＬ側（左側）の側面の上部に設けられた柱体であり、詳しくは、壁面部１１を構成する上部壁面部１１２の上端から、壁面本体部１１１の上側における高さの半分程度までにわたって形成されている。
【００５６】
したがって、左側Ｌ型擁壁ブロック１０Ｌの壁面部１１の側面の下部において壁面本体部１１１の高さの半分程度の高さで形成された下側枢動円柱部２１と、右側Ｌ型擁壁ブロック１０Rにおける上部壁面部１１２の上端から、壁面本体部１１１の上側における高さの半分程度までにわたって形成された上側枢動円柱部２２とが、後述するように、枢動連結軸２３によって高さ方向に連結されることで、壁面部１１の高さと同程度となる。
【００５７】
詳述すると、上側枢動円柱部２２は、壁面部１１の枢動中心軸ＣＬ側の側面の上部に対して、平面視幅方向Ｗ外側が略円弧状となる円弧側面を有する、幅方向Ｗ外側に突な平面視釣鐘状に形成されており、枢動中心軸ＣＬに通る箇所の底面２２ａに、後述する枢動連結軸２３を装着する上側装着凹部２２１を備えている。なお、上側装着凹部２２１は、厚み方向（内外方向）に長い底面視小判型の上向きに突な錐台形状の空間である。
【００５８】
なお、図４（ｂ）に示すように、擁壁内側ＩＮに向かって傾斜する傾斜外面で構成された外面１１ａに対し、上側枢動円柱部２２は、高さ方向Ｈに断面が変化しない柱状体であり、奥行方向厚さが底面２２ａ付近で壁面本体部１１１と同じ厚みであり、上方に向かって壁面部１１より厚くなる。  
また、上述のような構成のＬ型擁壁ブロック１０における壁面部１１の壁面本体部１１１の上面に吊り金具（図示省略）を取り付ける金具取付部１５を設けている。
【００５９】
このように構成された左側Ｌ型擁壁ブロック１０Ｌの下側枢動円柱部２１の上面２１ａに形成された下側装着凹部２１１と、右側Ｌ型擁壁ブロック１０Rの上側枢動円柱部２２の底面２２ａに形成された上側装着凹部２２１とを高さ方向Ｈに跨いで装着される枢動連結軸２３は、図５に示すように、上向きに突な円錐台形状の上部装着部２３１と、下向きに突な円錐台形状の下部装着部２３２と、上部装着部２３１と下部装着部２３２との間に配置された円柱状の円柱状部２３３とで構成されている。
【００６０】
このように構成された枢動連結軸２３は、下側枢動円柱部２１や上側枢動円柱部２２を構成するコンクリートより低強度である低強度材で構成されている。なお、本実施形態では、枢動連結軸２３は、コンクリートより低強度である樹脂製材料で構成しているが、コンクリートより低強度であればモルタル材料等を構成してもよい。なお、枢動連結軸２３は、素材そのものの強度はコンクリートより低くなくても、中空形状などの形状や構造によって、下側装着凹部２１１や上側装着凹部２２１を構成するコンクリートの強度より低くなる素材で構成してもよい。
【００６１】
また、上部装着部２３１の上端から高さ方向中央付近までと、下部装着部２３２の下端から高さ方向中央付近まで平面視一文字状に切り込まれ、変形性を向上させる変形スリット２３４（２３４ａ，２３４ｂ）が設けられている。  
なお、上部装着部２３１に設けられた変形スリット２３４ａと、下部装着部２３２に設けられた変形スリット２３４ｂとは、平面視方向において直交する向きで形成されている。
【００６２】
このように構成されたＬ型擁壁ブロック１０は、後述する現場打ち床版部１２Ｘを構成するためのコンクリートの呼び強度（２４Ｎ／ｍｍ２）より高強度である、
呼び強度が３６Ｎ／ｍｍ２のコンクリートで構成されている。
【００６３】
また、上述のように構成されたＬ型擁壁ブロック１０（１０Ｌ，１０Ｒ）と、枢動連結軸２３とでＬ型擁壁ブロックユニット１を構成することができる。  
詳述すると、左側Ｌ型擁壁ブロック１０Ｌの下側枢動円柱部２１の上面２１ａに形成した下側装着凹部２１１に、枢動連結軸２３の下部装着部２３２を装着し、右側Ｌ型擁壁ブロック１０Rの上側枢動円柱部２２の底面２２ａに形成した上側装着凹部２２１に、枢動連結軸２３の上部装着部２３１を装着することで、左側Ｌ型擁壁ブロック１０Ｌと右側Ｌ型擁壁ブロック１０Rとは、枢動連結軸２３を枢動中心軸ＣＬとした枢動回転可能に連結してＬ型擁壁ブロックユニット１を構成することができる。
【００６４】
なお、装着凹部２１１，２２１に、枢動連結軸２３の装着部２３２，２３１を装着する際、変形スリット２３４によって装着部２３２，２３１が変形するため、容易に装着することができ、変形スリット２３４によって変形した装着部２３２，２３１が自己の弾性力で復元することで、容易に抜け出ることを防止できる。
【００６５】
なお、このように、枢動連結軸２３を枢動中心軸ＣＬとして組み付けて連結したＬ型擁壁ブロックユニット１において、下側枢動円柱部２１、上側枢動円柱部２２及び枢動連結軸２３により枢動連結部２０を構成することができる。
【００６６】
また、左側Ｌ型擁壁ブロック１０Ｌと右側Ｌ型擁壁ブロック１０Rとを連結して構成するＬ型擁壁ブロックユニット１を用い、Ｌ型擁壁ブロックユニット１の擁壁内側ＩＮにおいて、左側の左側Ｌ型擁壁ブロック１０Ｌの床版部１２と打設空間１２２、及び右側の右側Ｌ型擁壁ブロック１０Rの床版部１２と打設空間１２２とで囲まれる打設範囲Ｘにコンクリートを打設して現場打ち床版部１２Ｘを構築して、床版部１２と現場打ち床版部１２Ｘで複合床版１２Ｙを構成するとともに、図６に示すように、Ｌ型擁壁ブロック１０のそれぞれに一般Ｌ型擁壁ブロック３０を連結することでＬ型擁壁Ｒにおけるコーナー部Ｌ型擁壁Ｒｃを構成することができる。
【００６７】
続いて、Ｌ型擁壁ブロックユニット１を用いたＬ型擁壁Ｒにおけるコーナー部Ｌ型擁壁Ｒｃの構築工法について、図６乃至図９とともに説明する。  
まず、図７（ａ）に示すように、整地後に高さ調整した基礎コンクリート２００上に、左側Ｌ型擁壁ブロック１０Ｌに連結する一般Ｌ型擁壁ブロック３０を据え付ける（一般Ｌ型擁壁ブロック据付工程）。なお、一般Ｌ型擁壁ブロック３０は、壁面部３１と床版部３２とでＬ型に構成されている。また、既に据え付けられた一般Ｌ型擁壁ブロック３０に対して一般Ｌ型擁壁ブロック３０を据え付けて連結してもよい。
【００６８】
次に、図７（ｂ）に示すように、据え付けた一般Ｌ型擁壁ブロック３０に対して、金具取付部１５に取り付けた吊り金具（図示省略）で吊り上げて左側Ｌ型擁壁ブロック１０Ｌを据え付け（コーナー部ブロック据付工程）、図８（ａ）に図示するように、一般Ｌ型擁壁ブロック３０と据え付けた左側Ｌ型擁壁ブロック１０Ｌとを連結金具４０で連結する。
【００６９】
具体的には、一般Ｌ型擁壁ブロック３０の壁面部３１と、左側Ｌ型擁壁ブロック１０Ｌの上部壁面部１１２の幅方向Ｗ外側とを跨ぐように配置した連結金具４０で連結する。またこのとき、図８（ｂ）に示すように、左側Ｌ型擁壁ブロック１０Ｌの金具取付部１５と基礎コンクリート２００とをレバーブロック（登録商標）２１０等で連結して擁壁外側ＯＵＴへの転倒を防止する。
【００７０】
このように、レバーブロック（登録商標）２１０等で転倒防止した左側Ｌ型擁壁ブロック１０Ｌに対し、金具取付部１５に取り付けた吊り金具（図示省略）で吊り上げて右側Ｌ型擁壁ブロック１０Rを連結して据え付ける（コーナー部ブロック連結工程）。
【００７１】
具体的には、図５に示すように、左側Ｌ型擁壁ブロック１０Ｌの下側枢動円柱部２１の下側装着凹部２１１に枢動連結軸２３の下部装着部２３２を圧入するとともに、枢動中心軸ＣＬに対して所定の相対角度に向けた右側Ｌ型擁壁ブロック１０Rの上側枢動円柱部２２の上側装着凹部２２１に枢動連結軸２３の上部装着部２３１を圧入するようにして、図９（ａ）に示すように、右側Ｌ型擁壁ブロック１０Rを据え付け、枢動連結軸２３を介して左側Ｌ型擁壁ブロック１０Ｌと右側Ｌ型擁壁ブロック１０Rとを連結する。
【００７２】
なお、右側Ｌ型擁壁ブロック１０Rを連結・据え付けてから、枢動連結軸２３を枢動中心軸ＣＬとして枢動回転させて、左側Ｌ型擁壁ブロック１０Ｌに対して右側Ｌ型擁壁ブロック１０Rを所定の相対回転に配置してもよい。
【００７３】
そして、図９（ｂ）に示すように、左側Ｌ型擁壁ブロック１０Ｌに対して所定の相対角度で連結・据え付けた右側Ｌ型擁壁ブロック１０Rの幅方向Ｗ外側に一般Ｌ型擁壁ブロック３０を据え付けるとともに、右側Ｌ型擁壁ブロック１０Rと一般Ｌ型擁壁ブロック３０とを連結金具４０で連結する。
【００７４】
右側Ｌ型擁壁ブロック１０Rの幅方向Ｗ外側に一般Ｌ型擁壁ブロック３０を据え付けた後を連結して構成するＬ型擁壁ブロックユニット１を用い、Ｌ型擁壁ブロックユニット１の擁壁内側ＩＮにおいて、左側の左側Ｌ型擁壁ブロック１０Ｌの床版部１２と打設空間１２２、右側の右側Ｌ型擁壁ブロック１０Rの床版部１２と打設空間１２２、左側Ｌ型擁壁ブロック１０Ｌの幅方向Ｗ外側の一般Ｌ型擁壁ブロック３０、及び右側Ｌ型擁壁ブロック１０Rの幅方向Ｗ外側の一般Ｌ型擁壁ブロック３０、で囲まれる打設範囲Ｘにコンクリートを打設して現場打ち床版部１２Ｘを構築することでコーナー部Ｌ型擁壁Ｒｃの構築を完了する（図６参照）。上述したように、本実施例においては、呼び強度が２４Ｎ／ｍｍ２であるコンクリートを打設して、現場打ち床版部１２Ｘを構築している。
【００７５】
上述のように、壁面部１１と床版部１２とで構成されたコンクリート製のＬ型擁壁Ｒにおけるコーナー部Ｌ型擁壁Ｒｃを構成する左側Ｌ型擁壁ブロック１０Ｌの壁面部１１における側面のうち、コーナー部Ｌ型擁壁Ｒｃの枢動中心軸ＣＬ側の側面に、他方のＬ型擁壁ブロック１０と平面視方向において枢動回転可能に、高さ方向Ｈに連結する枢動連結部２０が備えられ、床版部１２における枢動中心軸ＣＬ側に現場打ちコンクリートによって現場打ち床版部１２Ｘを構築する打設空間１２２が形成されたＬ型擁壁ブロック１０（１０Ｌ，１０Ｒ）、あるいは左側Ｌ型擁壁ブロック１０Ｌ及び右側Ｌ型擁壁ブロック１０Rで構成するＬ型擁壁ブロックユニット１、そしてＬ型擁壁Ｒにおけるコーナー部Ｌ型擁壁Ｒｃを構築するコーナー部構築方法は、コーナー部Ｌ型擁壁Ｒｃの隅角部の両側に配置したＬ型擁壁ブロック１０（１０Ｌ，１０Ｒ）同士を、枢動連結部２０で所定の相対角度に調整して連結し、打設空間１２２にコンクリートを打設して、床版部１２を構成する現場打ち床版部１２Ｘを構築することにより、容易に枢動回転させて所望の角度のコーナー部Ｌ型擁壁Ｒｃを構成することができる。
【００７６】
詳しくは、左側Ｌ型擁壁ブロック１０Ｌ（右側Ｌ型擁壁ブロック１０R）の壁面部１１における側面のうち、コーナー部Ｌ型擁壁Ｒｃの枢動中心軸ＣＬ側の側面に、右側Ｌ型擁壁ブロック１０R（左側Ｌ型擁壁ブロック１０Ｌ）と平面視方向において枢動回転可能に、高さ方向Ｈに連結する枢動連結部２０が備えられているため、コーナー部Ｌ型擁壁Ｒｃの隅角部の両側に配置したＬ型擁壁ブロック１０（１０Ｌ，１０Ｒ）同士を、枢動連結部２０で所定の相対角度に調整して連結することができる。
【００７７】
また、所定の相対角度に調整したＬ型擁壁ブロック１０（１０Ｌ，１０Ｒ）における打設空間１２２にコンクリートを打設して現場打ち床版部１２Ｘを構築するため、Ｌ型擁壁ブロック１０（１０Ｌ，１０Ｒ）同士を枢動回転させて容易に所望の角度のコーナー部Ｌ型擁壁Ｒｃを構成することができる。
【００７８】
また、壁面部１１と床版部１２とで構成する内角部を補強する内角補強部１６が形成されるとともに、内角部に対応する向きの内角部補強鉄筋１７が配筋されているため、壁面部１１と床版部１２とで構成し、断面強度が高いＬ型断面を構成することができる。
【００７９】
詳述すると、壁面部１１の内面１１ｂと床版部１２の上面とで構成する内角部を補強する内角補強部１６が形成されるとともに、内角部に対応する向きの内角部補強鉄筋１７が配筋されているため、内角補強部１６が設けられていなかったり、内角部補強鉄筋１７が配筋されなかった場合に比べて、断面強度が高いＬ型断面、つまり見かけの剛性が高いＬ型断面を構成することができる。
【００８０】
また、打設空間１２２が、壁面部１１の幅に対して１／３以上２／３以下の幅である１／２程度で設けられているため、充分に強度のある鉄筋コンクリート製の現場打ち床版部１２Ｘを構築することができる。
【００８１】
詳述すると、打設空間１２２が壁面部１１の幅に対して１／３以下である場合、打設空間１２２に構築される現場打ち床版部１２Ｘの幅が狭くなり、充分な強度を有する現場打ち床版部１２Ｘを構築することができなくなる。これに対し、打設空間１２２が壁面部１１の幅に対して２／３以上である場合、壁面部１１と一体構成された床版部１２の幅が狭くなり、壁面部１１と一体構成された床版部１２の強度が低下するおそれがある。これに対し、打設空間１２２が、壁面部１１の幅に対して１／３以上２／３以下の幅で設けられることで、充分な強度を有する現場打ち床版部１２Ｘを構築することができるとともに、壁面部１１と一体構成された床版部１２の強度低下を防止することができる。つまり、打設空間１２２が、壁面部１１の幅に対して１／３以上２／３以下の幅で設けられることで、打設空間１２２に構築される現場打ち床版部１２Ｘと、壁面部１１と一体構成された床版部１２との強度が両立したＬ型擁壁ブロック１０を構成することができる。
【００８２】
また、壁面部１１の内面１１ｂの下部から、打設空間１２２に突出する突出鉄筋１４を設けているため、強度のある鉄筋コンクリート製の現場打ち床版部１２Ｘを構築することができる。
【００８３】
また、枢動連結部２０を、左側Ｌ型擁壁ブロック１０Ｌにおいて壁面部１１より高さが低く、少なくとも枢動中心軸ＣＬ側が平面視円弧状となる略円柱状の下側枢動円柱部２１と、右側Ｌ型擁壁ブロック１０Rにおいて壁面部１１より高さが低く、少なくとも枢動中心軸ＣＬ側が平面視円弧状となる略円柱状の上側枢動円柱部２２と、下側枢動円柱部２１の上面２１ａに形成された下側装着凹部２１１と右側Ｌ型擁壁ブロック１０Rの上側枢動円柱部２２の底面２２ａに形成された上側装着凹部２２１とに装着され、枢動円柱部２１，２２同士を枢動回転自在に連結する枢動連結軸２３とで構成しているため、よりスムーズな枢動回転によって相対角度を調整することができる。
【００８４】
詳しくは、平面視円弧状となる略円柱状の枢動円柱部２１，２２が上下方向に対向する対向面（２１ａ，２２ａ）に設けられた装着凹部２１１，２２１に枢動連結軸２３が装着されているため、枢動連結軸２３を枢動中心としてスムーズに枢動回転することができる。したがって、Ｌ型擁壁ブロック１０（１０Ｌ，１０Ｒ）同士を所望の相対角度に調整することができる。
【００８５】
また、枢動連結軸２３を、コンクリートより低強度である低強度材である樹脂製材料で構成しているため、Ｌ型擁壁ブロック１０（１０Ｌ，１０Ｒ）同士の枢動回転時における枢動中心軸ＣＬが不用意にずれた場合であっても、コンクリートより低強度である樹脂製材料で構成された枢動連結軸２３が変形や損傷することで、コンクリートに負荷が作用することを防止できる。そのため、上述のような不具合が生じてもＬ型擁壁ブロック１０（１０Ｌ，１０Ｒ）が損傷することを防止できる。
【００８６】
また、下側枢動円柱部２１の上面２１ａに形成された下側装着凹部２１１と対向する，上側枢動円柱部２２の底面２２ａに形成し、枢動連結軸２３が装着される上側装着凹部２２１を、枢動連結軸２３が平面視方向における所定方向に移動可能な略小判型の錐台形状で形成しているため、Ｌ型擁壁ブロック１０（１０Ｌ，１０Ｒ）同士の枢動回転時における回転軸が不用意にずれた場合であっても、枢動連結軸２３が平面視方向における所定方向に移動することで、コンクリートや枢動連結軸２３に負荷が作用することを防止できる。そのため、上述のような不具合が生じてもＬ型擁壁ブロック１０（１０Ｌ，１０Ｒ）や枢動連結軸２３が損傷することを防止できる。
【００８７】
なお、上述のように、コンクリートより低強度である樹脂製材料で構成され、変形や損傷することで、コンクリートに負荷が作用することを防止できる枢動連結軸２３でＬ型擁壁ブロック１０（１０Ｌ，１０Ｒ）を連結しているため、Ｌ型擁壁ブロック１０（１０Ｌ，１０Ｒ）における壁面部１１同士は構造的に別体であり、左側Ｌ型擁壁ブロック１０Ｌの壁面部１１と、右側Ｌ型擁壁ブロック１０Rの壁面部１１に作用する負荷が相互に影響を及ぼすことを防止することができる。
【００８８】
また、壁面部１１を、高さ方向下側の壁面本体部１１１と、壁面本体部１１１の上部に配置され、壁面本体部１１１より厚みが薄い上部壁面部１１２とで構成し、壁面本体部１１１、及び上部壁面部１１２の外面１１ａを面一に形成しているため、設置・埋戻し後の供用状態において露出する外面１１ａが面一となるため、景観性に優れたコーナー部Ｌ型擁壁Ｒｃを構成することができる。
【００８９】
さらに、壁面本体部１１１及び上部壁面部１１２の外面１１ａが面一となるため、Ｌ型擁壁ブロック１０（１０Ｌ，１０Ｒ）同士がいずれの相対角度であっても、コーナー部Ｌ型擁壁Ｒｃの頂部が変化することがなく、景観性に優れたコーナー部Ｌ型擁壁Ｒｃを構成することができる。
【００９０】
また、壁面本体部１１１の上部に配置された上部壁面部１１２は、壁面本体部１１１より厚みが薄いため、容易に上部壁面部１１２を所定高さに加工し、所望の擁壁高さに調整することができる。  
なお、枢動連結部２０において枢動連結軸２３を枢動中心軸ＣＬとして枢動回転する対向面（２１ａ，２２ａ）が、壁面本体部１１１の高さの半分程度の高さ方向Ｈの位置に設けられているため、上部壁面部１１２が所望の高さに切断された場合であっても、枢動回転する対向面（２１ａ，２２ａ）が壁面部１１の高さに対して半分程度の位置より上方となることを防止でき、枢動回転する対向面（２１ａ，２２ａ）が上方に位置することで枢動回転が不安定になることを防止し、安定した枢動回転を実現することができる。
【００９１】
また、壁面本体部１１１における枢動中心軸ＣＬ側の側面における擁壁内側ＩＮに、角度調整するための連結凹部１１３を設けているため、壁面本体部１１１及び上部壁面部１１２の外面１１ａが面一となる、つまり枢動中心軸ＣＬから壁面本体部１１１の内面までの間隔が広がるが、壁面本体部１１１における枢動中心軸ＣＬ側の側面における内側に、角度調整するための連結凹部１１３が設けられているため、壁面本体部１１１における枢動中心軸ＣＬ側の側面における内側が支障することなく、Ｌ型擁壁ブロック１０（１０Ｌ，１０Ｒ）同士を枢動回転させて容易に所望の角度のコーナー部Ｌ型擁壁Ｒｃを構成することができる。
【００９２】
また、壁面部１１の外面１１ａを、擁壁内側ＩＮに傾斜する傾斜外面で構成しているため、埋戻し圧によってＬ型擁壁ブロック１０（１０Ｌ，１０Ｒ）が擁壁外側ＯＵＴに変形したり、傾倒した場合であっても、内側に傾斜する外面１１ａが擁壁外側ＯＵＴに傾斜することがなく、安定性の高い擁壁を構成することができる。
【００９３】
さらにまた、所定の角度で配置された上述のＬ型擁壁ブロックユニット１と、Ｌ型擁壁ブロックユニット１における打設空間１２２に打設されたコンクリートによって構築された現場打ち床版部１２Ｘとで構成されるとともに、現場打ち床版部１２Ｘと床版部１２とで複合床版１２Ｙが構成されているため、コーナー部の所定角度に応じた角度に調整されたコーナー部Ｌ型擁壁Ｒｃを構築することができる。
【００９４】
また、壁面部１１と現場打ち床版部１２Ｘとで構成するＬ型断面における断面強度に対して、壁面部１１と床版部１２とで構成するＬ型断面における断面強度が高強度であるため、堅牢なコーナー部Ｌ型擁壁Ｒｃを構築することができる。
【００９５】
詳述すると、壁面部１１と現場打ち床版部１２Ｘとで構成するＬ型断面における断面強度に対して、ＰＣａ製であるＬ型擁壁ブロック１０において一体で構成された壁面部１１と床版部１２とで構成するＬ型断面における断面強度が高強度であるため、コーナー部Ｌ型擁壁Ｒｃに硫黄力が作用した際に弱点になり易い打ち継ぎ目が存在する壁面部１１と現場打ち床版部１２Ｘとで構成するＬ型断面よりも、断面強度が高強度である壁面部１１と床版部１２とで構成するＬ型断面に、負荷が荷重分配されて作用するため、堅牢なコーナー部Ｌ型擁壁Ｒｃを構築することができる。
【００９６】
この発明の構成と、上述の実施例との対応において、Ｌ型擁壁はＬ型擁壁Ｒに対応し、
コーナー部はコーナー部Ｌ型擁壁Ｒｃに対応し、
以下同様に、
Ｌ型擁壁ブロックはＬ型擁壁ブロック１０，左側Ｌ型擁壁ブロック１０Ｌ，右側Ｌ型擁壁ブロック１０Rに対応し、
Ｌ型擁壁ブロック組はＬ型擁壁ブロックユニット１に対応し、
壁面部は壁面部１１に対応し、
枢動連結部は枢動連結部２０に対応し、
床版部は床版部１２に対応し、
床版部の一部は現場打ち床版部１２Ｘに対応し、
打設空間は打設空間１２２に対応し、
鉄筋は突出鉄筋１４に対応し、
隅角部側は枢動中心軸ＣＬ側に対応し、
枢動柱部は枢動円柱部２１，２２に対応し、
枢動連結軸は枢動連結軸２３に対応し、
軸装着部は下側装着凹部２１１，上側装着凹部２２１に対応し、
壁面本体部は壁面本体部１１１に対応し、
上部壁面部は上部壁面部１１２に対応し、
外面は外面１１ａに対応し、
控え空間は連結凹部１１３に対応し、
床版部の内側の側面は内側側面１２１に対応するも、
この発明は、上述の実施形態の構成のみに限定されるものではなく、多くの実施の形態を得ることができる。
【００９７】
また、上述の説明では、下側装着凹部２１１を平面視下向きに突な円錐台形状に形成し、上側装着凹部２２１を上向きに突な底面視小判型の錐台状に形成したが、下側装着凹部２１１を平面視下向きに突な底面視小判型の錐台状に形成し、上側装着凹部２２１を上向きに突な円錐台形状に形成してもよい。
【００９８】
さらには、上向きに突な底面視小判型の錐台状に形成した上側装着凹部２２１に加えて、下側装着凹部２１１を平面視下向きに突な底面視小判型の錐台状に形成してもよい。この場合、小判型に形成した上側装着凹部２２１と下側装着凹部２１１の長軸方向を平面視方向において直交するように構成すればよい。
【００９９】
例えば、上述のＬ型擁壁ブロック１０はプレキャストコンクリート（ＰＣａ）製であるが、鉄筋コンクリート製であってもよい。  
また、枢動連結軸２３の上部装着部２３１と下部装着部２３２とに変形性を向上させる変形スリット２３４（２３４ａ，２３４ｂ）を設けたが設けなくてもよいし、上部装着部２３１の変形スリット２３４ａと、下部装着部２３２の変形スリット２３４ｂとうち一方だけを設けてもよい。
【０１００】
また、下側枢動円柱部２１及び上側枢動円柱部２２を外面１１ａと面一となるように錐台状に形成してもよい。この場合、他方のＬ型擁壁ブロック１０における対応箇所を水台状の空間を形成することで、錐台状に形成した下側枢動円柱部２１及び上側枢動円柱部２２が枢動回転に支障することを防止することができる。
【０１０１】
さらにまた、壁面部１１と床版部１２との内角部には傾斜湾曲面を有する内角補強部１６を設け、壁面部１１と床版部１２とで構成された断面Ｌ型の左側Ｌ型擁壁ブロック１０Ｌの内部における角部に、内角補強部１６に対応する向きの内角部補強鉄筋１７を配筋したが、内角補強部１６の代わりに、いわゆるハンチと呼ばれる傾斜面を有する補強部を構成してもよいし、内角部補強鉄筋１７の代わりにハンチ筋と呼ばれる鉄筋を配筋してもよい。
【符号の説明】
【０１０２】
１…Ｌ型擁壁ブロックユニット
１０…Ｌ型擁壁ブロック
１０Ｌ…左側Ｌ型擁壁ブロック
１０Ｒ…右側Ｌ型擁壁ブロック
１１…壁面部
１１ａ…外面
１２…床版部
１２Ｘ…現場打ち床版部
１２Ｙ…複合床版
１４…突出鉄筋
１６…内角補強部
１７…内角部補強鉄筋
２０…枢動連結部
２１…下側枢動円柱部
２２…上側枢動円柱部
２３…枢動連結軸
１１１…壁面本体部
１１２…上部壁面部
１１３…連結凹部
１２１…内側側面
１２２…打設空間
２１１…下側装着凹部
２２２…上側装着凹部
ＣＬ…枢動中心軸
Ｒ…Ｌ型擁壁
Ｒｃ…コーナー部Ｌ型擁壁
【図１】
2019120044.tif 000003
【図２】
2019120044.tif 000004
【図３】
2019120044.tif 000005
【図４】
2019120044.tif 000006
【図５】
2019120044.tif 000007
【図６】
2019120044.tif 000008
【図７】
2019120044.tif 000009
【図８】
2019120044.tif 000010
【図９】
2019120044.tif 000011